(57)【要約】【課題】（イ）カレンダ−の日日の表示域を広くしてメモを多く記入できるようにする。（ロ）カレンダ−にメモ用備考欄を設ける。（ハ）カレンダ−の日日に色、強調の印を付けて分かり易くする。（ニ）常時、３ケ月（当月、翌月、翌々月）から６ケ月のカレンダ−表示ができるようにする。（ホ）カレンダ−の外枠下部に色、模様を簡単に入れられるようにする。【解決手段】（イ）カレンダ−カ−ドで日日付近に空白部を多くする。（ロ）カレンダ−カ−ドで余白を備考欄にする。（ハ）カレンダ−カ−ドケ−スは、基本形（当月、翌月、翌々月）に６ケ月まで追加接続できるようにする。また切り外しにより２ケ月表示形ができる。  これを使ってもカレンダ−立てができる。（ニ）カレンダ−カ−ドケ−ス台により、切り外しによる２ケ月表示を含めて基本形から６ケ月までのカレンダ−立てを簡単に組み立てられる。（ホ）カレンダ−カ−ドケ−ス及びカレンダ−カ−ドケ−ス台の下部にシ−ルなどで模様を入れられる。【選択図】  図１２
0003109703.tif 000002
【実用新案登録請求の範囲】
【請求項１】
カレンダ−カ−ド
月の日日を表示し、次の２項目の特徴を持つ。
（イ）月初めあるいは月末の余白を備考欄とする。
（ロ）日日は、メモを記入し易くするために表示空間を線で囲まず、分かり易くするために色づけ、強調の印を付ける。
【請求項２】
カレンダ−カ−ドケ−ス
カレンダ−カ−ドを表示するための入れ物であり、３ケ月表示用を基本形とする。基本形から月単位による切り外し及び追加接続ができる。
【請求項３】
カレンダ−カ−ドケ−ス台
カレンダ−カ−ドケ−スを立てるための台であり、３ケ月表示用が基本形である。基本形から月単位による切り外し及び追加接続ができる。
【考案の詳細な説明】
【考案の詳細な説明】
【技術分野】
【０００１】文房具
【背景技術】
【０００２】（イ）一つの表示ケ−スにカレンダ−が必要枚納められており、月経過後に入れ替える構造である。
（ロ）バインダ−方式でカレンダ−が綴られており、月経過後にめくる。
（ハ）卓上形で、常時３ケ月（当月、翌月、翌々月）以上のカレンダ−表示とメモ活用形のカレンダ−がない。
（ニ）カレンダ−で日日付近にメモができる空間があるが、狭い。
（ホ）カレンダ−外枠に模様を簡単に付けられない。
【考案が解決しようとする課題】
【０００３】（イ）カレンダ−日日の表示空間を広くしてメモを多く記入できるようにする。
（ロ）カレンダ−にメモ用備考欄を設ける。
（ハ）カレンダ−の日日に色、強調の印を付けて分かり易くする。
（ニ）常時、３ケ月（当月、翌月、翌々月）から６ケ月までのカレンダ−表示ができるようにする。
（ホ）カレンダ−の外枠下部に色、模様を簡単に付けられるようにする。
【課題を解決するための手段】
【０００４】（イ）カレンダ−カ−ドで日日付近に空白部を多くする。
（ロ）カレンダ−カ−ドで余白を備考欄にする。
（ハ）カレンダ−カ−ドケ−スは、基本形（当月、翌月、翌々月）に６ケ月まで追加接続できるようにする。また切り外しにより２ケ月表示形ができる。
これを使ってもカレンダ−立てができる。
（ニ）カレンダ−カ−ドケ−ス台により、切り外しによる２ケ月表示形を含めて基本形から６ケ月までのカレンダ−立てを簡単に組み立てられる。
（ホ）カレンダ−カ−ドケ−ス及びカレンダ−カ−ドケ−ス台の下部にシ−ルなどで模様を入れる。
【考案の実態の形態】
【０００５】（イ）カレンダ−カ−ドの例は図１から図４に示す。
図１は、日日の横にメモ用空白部（４）を作り、日日を日曜日は赤、土曜日は青で表し、祝日は日日及び丸枠を赤で表す。月末の余白を備考欄（３）する。
図２は、日日の右と下側に強調の印を付け、日日及び祝日の色付けは前述に同じである。月初めの余白を備考欄にする。
図３は、日日の左と上側に強調の印を付け、日日及び祝日の色付けは前述に同じである。月初めの余白を備考欄にする。
月初めが週の後半から始まる場合で月末がこの図３のように詰まる場合は、＊印で月初めに表示してメモ記入できるようにする。
図４は、枠の上部と左側だけに短い線を付けて、日曜日から土曜までを赤、黒、空、緑、茶、桃、青などに色付けする。下部余白を備考欄にする。また、土日の日日を四倍角ぐらいに大きくして強調してもよい。
カレンダ−カ−ド１枚のサイズの例は、縦１３８ｍｍ、横１１９、厚さ０．１ｍｍ程度である。
カレンダ−カ−ド上部二カ所に直径２ｍｍ程度の保存用の穴を開ける。
（ロ）図５は、２ケ月表示カレンダ−カ−ドケ−ス（５）を示す。これは、基本形から１ケ月分を切り外した形である。
図６は、基本形の３ケ月表示（１１）の形を示す。
カレンダ−カ−ドケ−スは、３から６ケ月まで相互に接続してこれだけで３面から６面までのカレンダ−立て（図１３）を作ることができる。
カレンダ−カ−ドケ−ス（３ケ月）の繋ぎ部にミシン目（１０）などを入れて曲げ易くまた切断し易くする。
カレンダ−カ−ドケ−スの窓枠下部（９）に色あるいは模様を付けられるようにする。
カレンダ−カ−ドケ−ス一つのサイズ例は、縦１３３ｍｍ、横１２５ｍｍ、厚さ１．５ｍｍ程度である。接続部の幅は１ｍｍ程度である。
（ハ）カレンダ−カ−ドケ−ス台の基本形（３ケ月）の外観は斜視図（図７）に示す。カレンダカ−ドケ−ス台は、基本形から切り取り図１１組立例１のようなカレンダ−立てを作ることができる。基本形に追加接続する場合は接着材を使うことで簡単にできる。外側に色あるいは模様シ−ルを貼る。
カレンダ−カ−ドケ−ス台の基本形のサイズ例は、それぞれおよそ、前部の折れ部分の長さが１０ｍｍ、１０ｍｍ、横３７５ｍｍ、差し込み部（１３）は高さ１５ｍｍ、横３７５ｍｍ、縦３ｍｍであり、当該台基部差し込み部の凹みと後ろの裾は、５ｍｍと２０ｍｍである。
（ニ）カレンダ−カ−ドケ−ス台の差し込み溝（１６）にカレンダ−カ−ドケ−スを差し込み、カレンダ−カ−ドをカレンダ−カ−ドケ−スに入れて卓上立て形カレンダ−ができる。
（ホ）カレンダ−カ−ド、カレンダ−カ−ドケ−ス及びカレンダ−カ−ドケ−ス台は、紙あるいは合成樹脂による製品がよい。
【考案の効果】
【０００６】（イ）カレンダ−カ−ドの日日表示域は、従来に比べて上下あるいは左右の空白部を使えるようにしており、メモを多く記入できる。
カレンダ−カ−ドの余白を備考欄にしたので注目事項を記入できる。
（ロ）カレンダ−カ−ドケ−スの基本形が３ケ月表示であるので、月にまたがる予定がよくわかり、メモ予定が一目でわかる。
カレンダ−カ−ドケ−ス基本形あるいは追加した状態の両端を繋ぐことで、三角、四角、五角あるいは六角形のカレンダ−表示ができ、図１３のようなカレンダ−を容易に組み立てることができる。
カレンダ−カ−ドケ−スの窓枠下部あるいはカレンダ−カ−ドケ−ス台にシ−ルなどで文字、色あるいは模様を入れることで楽しくする。
（ハ）カレンダ−カ−ドケ−ス台は、基本形が３ケ月表示形であるが、もう一つの全部あるいは一部を追加接続することで６ケ月までのものを作ることができる。カレンダ−カ−ドケ−スをはめ込むことで卓上横長のカレンダ−立てができる。
また、１ケ月分を切り取ることで２ケ月表示のカレンダ−立てができる。
（ニ）新年用カレンダ−としては、カレンダ−カ−ドのみを変えればよい。
【図面の簡単な説明】
【図１】  カレンダ−カ−ド１  カレンダ−を表すカ−ド例である。
【図２】  カレンダーカード２
【図３】  カレンダ−カ−ド３
【図４】  カレンダ−カ−ド４
【図５】  カレンダ−カ−ドケ−ス（２ケ月）
【図６】カレンダ−カ−ドケ−ス（基本形）  基本形である３ケ月分を表示する。
【図７】  カレンダ−カ−ドケ−ス台  斜視図
【図８】  カレンダ−カ−ドケ−ス台  Ａ正面図
【図９】  カレンダ−カ−ドケ−ス台  Ｂ平面図
【図１０】  カレンダ−カ−ドケ−ス台  Ｃ側面図
【図１１】  組立例１  ２ケ月分表示のカレンダ−立ての組み立て図
【図１２】  組立例２  基本形の３ケ月表示用カレンダ−立ての組み立て図
【図１３】  組立例３  カレンダ−カ−ドケ−ス台を使用しないで、カレンダ−カ−ドケ−スの両端を接続して図のような表示形にした例である。
【符号の説明】
１  カレンダ−カ−ド
２  保存用穴
３  備考欄
４  空白部
５  カレンダ−カ−ドケ−ス（２ケ月）
６  カレンダ−カ−ド差し込み口
７  接続部
８  カレンダ−表示窓
９  窓枠
１０  ミシン目
１１  カレンダ−カ−ドケ−ス（基本形）
１２  カレンダ−カ−ドケ−ス台
１３  カレンダ−カ−ドケ−ス差し込み
１４  カレンダ−カ−ドケ−ス台基部
１５  区切り線
１６  差し込み溝
【図１】
0003109703.tif 000003
【図２】
0003109703.tif 000004
【図３】
0003109703.tif 000005
【図４】
0003109703.tif 000006
【図５】
0003109703.tif 000007
【図６】
0003109703.tif 000008
【図７】
0003109703.tif 000009
【図８】
0003109703.tif 000010
【図９】
0003109703.tif 000011
【図１０】
0003109703.tif 000012
【図１１】
0003109703.tif 000013
【図１２】
0003109703.tif 000014
【図１３】
0003109703.tif 000015
【手続補正書】
【提出日】平成16年4月30日(2004.4.30)
【手続補正１】
【補正対象書類名】明細書
【補正対象項目名】０００６
【補正方法】変更
【補正の内容】
【０００６】（イ）カレンダ−カ−ドの日日表示域は、従来に比べて上下あるいは左右の空白部を使えるようにしており、メモを多く記入できる。  カレンダ−カ−ドの余白を備考欄にしたので注目事項を記入できる。一枚に十日分を表示させれば、日日に対するメモ記入欄を広くすることができメモ重視のカレンダ−カ−ドになる。
【手続補正２】
【補正対象書類名】図面
【補正対象項目名】図２
【補正方法】変更
【補正の内容】
【図２】0003109703.tif 000016
0003109703.tif 000017
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
カレンダ−カ−ドケ−ス
これは、カレンダ−カ−ド（カ−ド形カレンダ−）を表示するためのケ−スであり、一つのケ−スにはカレンダ−カ−ド４枚が入り、上部にはカレンダ−カ−ド差し込み口（６）があり、表示面にはカレンダ−カ−ド表示窓があり、カレンダ−カ−ド３ケ月表示用を基本形とし、基本形から月単位による切り外し及び追加接続ができるカレンダ−カ−ドケ−スである。
【請求項２】
カレンダ−カ−ドケ−ス台
これは、カレンダ−カ−ドケ−スを立てるための台であり、カレンダ−カ−ドケ−ス台基部にカレンダ−カ−ドケ−スを差し込みを接着させて作り、カレンダ−カ−ドケ−ス差し込みにカレンダ−カ−ドケ−スを差し込む差し込み溝があり、３ケ月表示用が基本形であり、基本形から月単位による区切り（１５）により切り外しができそして追加接続ができるようなカレンダ−カ−ドケ−ス台である。
【手続補正２】
【補正対象書類名】明細書
【補正対象項目名】全文
【補正方法】変更
【補正の内容】
【考案の詳細な説明】
【技術分野】
【０００１】            文房具
【背景技術】
【０００２】（イ）市販されている卓上立て形カレンダ−は、１月表示ケースにカレンダ−カ−ドが必要枚数納められており、月経過後に入れ替える構造である。
（ロ）バインダ−方式で綴られたカレンダ−は、２ケ月表示形で月経過後にめくる構造である。
（ハ）卓上立て形で、常時３ケ月（当月、翌月、翌々月など）以上のカレンダ−表示のカレンダ−ケ−スがない。
【考案が解決しようとする課題】
【０００３】  常時、３ケ月（当月、翌月、翌々月など）から６ケ月までのカレンダ−表示ができる構造にする。
【０００４】
【課題を解決するための手段】
（イ）カレンダ−カ−ドケ−スは、基本形（当月、翌月、翌々月など）に６ケ月まで追加接続できるようにする。また切り外しにより２ケ月表示形ができるものとする。
（ロ）カレンダ−カ−ドケ−ス台とカレンダ−カ−ドケ−スにより、切り外しによる２ケ月表示形を含めて基本形から６ケ月までのカレンダ−カ−ド立てを簡単に組み立てられる。
【考案の実態の形態】
【０００５】（イ）図６は、カレンダ−カ−ドケ−ス基本形の３ケ月表示（１１）の形を示す。カレンダ−カ−ドケ−ス（基本形）の繋ぎ部にミシン目（１０）を入れて曲げ易くまた切断し易くする。
カレンダ−カ−ドケ−ス一つのサイズ例は、縦１３３ｍｍ、横１２５ｍｍ、厚さ１．５ｍｍ程度である。接続部の幅は１ｍｍ程度である。
（ロ）カレンダ−カ−ドケ−ス台の基本形（３ケ月）の外観は斜視図（図７）に示す。カレンダカ−ドケ−ス台は、基本形から切り取り図１１組立例１のようなカレンダ−立てを作ることができる。基本形に追加接続する場合は接着材を使うことで簡単にできる。
カレンダ−カ−ドケ−ス台の基本形のサイズ例は、それぞれおよそ、前部の折れ部分の長さが１０ｍｍ、１０ｍｍ、横３７５ｍｍ、差し込み部（１３）は高さ１５ｍｍ、横３７５ｍｍ、縦３ｍｍであり、当該台基部差し込み部の凹みと後ろの裾は、５ｍｍと２０ｍｍである。
（ハ）カレンダ−カ−ドケ−ス台の差し込み溝（１６）にカレンダ−カ−ドケ−スを差し込み、合う寸法のカレンダ−カ−ドをカレンダ−カ−ドケ−スに入れて卓上立て形カレンダ−ができる。
【考案の効果】
【０００６】（イ）カレンダ−カ−ドケ−スの基本形が３ケ月表示であるので、月にまたがる予定が一目でよくわかる。
（ロ）カレンダ−カ−ドケ−ス台は、基本形が３ケ月表示形であるが、追加接続することで６ケ月までのものを作ることができる。同月数のカレンダ−カ−ドケ−スを差し込むことで卓上横長のカレンダ−立てができる。
また、１ケ月分を切り取ることで２ケ月表示のカレンダ−立てができる。
（ハ）新年用カレンダ−としては、カレンダ−カ−ドのみを変えればよく、経済的である。
【図面の簡単な説明】
【図１】カレンダ−カ−ドケ−ス（基本形）
【図２】カレンダ−カ−ドケ−ス台  斜視図
【図３】カレンダ−カ−ドケ−ス台  Ａ正面図
【図４】カレンダ−カ−ドケ−ス台  Ｂ平面図
【図５】カレンダ−カ−ドケ−ス台  Ｃ側面図
【図６】組立例１  基本形の３ケ月表示用カレンダ−立ての組み立て図
【符号の説明】
１  カレンダ−カ−ド差し込み口
２  接続部
３  カレンダ−表示窓
４  窓枠
５  ミシン目
６  カレンダ−カ−ドケ−ス（基本形）
７  カレンダ−カ−ドケ−ス台
８  カレンダ−カ−ドケ−ス差し込み
９  カレンダ−カ−ドケ−ス台基部
１０  区切り線
１１  差し込み溝
【手続補正３】
【補正対象書類名】図面
【補正対象項目名】全図
【補正方法】変更
【補正の内容】
【図１】
0003109703.tif 000018
【図２】
0003109703.tif 000019
【図３】
0003109703.tif 000020
【図４】
0003109703.tif 000021
【図５】
0003109703.tif 000022
【図６】
0003109703.tif 000023